(57)【要約】【目的】  本発明は、表示装置を立位状態に支持する表示装置用スタンドにおいて、表示装置を支持するスタンド部を複数に分割し、複数に分割したスタンド部を接合するための接合部に軸となる関節部を設けることで、軸を中心に回転することによりスタンド部の可倒が可能となり、表示装置用スタンドの重心を低く、小さくできるものである。【構成】  ベースは第１支持部を固定接合する第１関節が一体で成形されている。第１関節には第１支持部が雄ネジで螺合回転可能な状態で接合され、第１支持部の他端には第２関節が設けてあり、第２支持部が第１支持部同様に接合される。同様に第３支持部、第４支持部に接合され、第４支持部の第４関節の他端は表示装置を固定できる形状としている。各関節は雄ネジ部を中心に回転することでスタンド部を可倒できる。【選択図】  図３
2008275931.tif 000002
【特許請求の範囲】
【請求項１】
移動手段を設けたベース上に、表示装置を支持する複数の支持手段を設け、該支持手段は折り畳みが可能なように関節部が設けられており、該関節部は回転が可能なように、軸を設けた部材と、軸受けを設けた部材からなり、軸受けを設けた部材には、軸受の外周に軸外周鉄部を設け、前記軸を設けた部材には、軸外周鉄部がはまり込む部分を設け、更に、軸外周鉄部の一部分には、弾性体が設けられており、前記軸を軸受けに挿入して関節部を組み立て、前記表示装置の荷重が、前記軸外周鉄部に設けた弾性体にかかると、弾性体が変形し、前記軸を設けた部材に設けられている軸外周部がはまり込む部分の内壁に圧接し、関節部が固定され、軸を設けた部材が移動することにより、前記弾性体にかかる荷重が変化することにより、前記弾性体が内壁に圧接する度合が変化することにより、関節部の固定状態も変化し、表示装置を支持する指示手段を折りたたむことを特徴とする表示装置用可倒式スタンド。
【発明の詳細な説明】
【技術分野】
【０００１】
本発明は、宣伝広告、イベント情報、ゲーム等を表示し、場所を移動させるための移動手段を備えた表示装置を支持するスタンドに関するものである。
【背景技術】
【０００２】
近年、薄型液晶、プラズマモニタ等の表示装置は大型化に伴い、スーパーや、ゲームセンター等の人が集まる場所やイベント会場に設置し、宣伝広告、イベント情報、ゲーム等を表示し、場所が変る際は、店内や会場のフロアを移動させるため、スタンドにキャスターを付けた表示装置用スタンドを設置するのが一般的である。
【特許文献１】特開２００６−３０９１３号公報。
【特許文献２】特開２００３−２３９６１９号公報。
【発明の開示】
【発明が解決しようとする課題】
【０００３】
しかしながら、表示装置を立位状態に支持する表示装置用スタンドは表示装置が高い位置にあり、重心が高ため移動中は不安定で転倒の可能性が有り危険である。
また、表示装置用スタンドの輸送は、大型梱包、転倒防止、専用業者依頼等の問題を解消するため部品毎に分けて輸送し、設置場所で組立ることが一般的だが、組立場所の確保や作業者の移動等の課題があった。
【課題を解決するための手段】
【０００４】
本発明は、移動手段を設けたベース上に、表示装置を支持する複数の支持手段を設け、該支持手段は折り畳みが可能なように関節部が設けられており、該関節部は回転が可能なように、軸を設けた部材と、軸受けを設けた部材からなり、軸受けを設けた部材には、軸受の外周に軸外周鉄部を設け、前記軸を設けた部材には、軸外周鉄部がはまり込む部分を設け、更に、軸外周鉄部の一部分には、弾性体が設けられており、前記軸を軸受けに挿入して関節部を組み立て、前記表示装置の荷重が、前記軸外周鉄部に設けた弾性体にかかると、弾性体が変形し、前記軸を設けた部材に設けられている軸外周部がはまり込む部分の内壁に圧接し、関節部が固定され、軸を設けた部材が移動することにより、前記弾性体にかかる荷重が変化することにより、前記弾性体が内壁に圧接する度合が変化することにより、関節部の固定状態も変化し、表示装置を支持する指示手段を折りたたむ表示装置用可倒式スタンドを提案するものである。
【発明の効果】
【０００５】
上記したように、軸外周鉄部の一部分に設けた弾性体に、表示装置の荷重をかけ、弾性体を変形させて、軸外周受け部の内壁に弾性体を圧接させることにより、関節を固定し、または弾性体にかかる荷重の変化により、関節部の固定状態を変化させる表示装置用可倒式スタンドを提案することで、表示装置用スタンドの重心が低く、小さくなるため、輸送時の梱包が小さく、輸送中の転倒防止や輸送後の設置、組立が容易になり、安全に移動ができ、小スペース収納が可能となる。
【発明を実施するための最良の形態】
【０００６】
表示装置を支持するスタンド部を分割し、スタンド同士を接合し、回転するために設けられたスタンド部、軸、軸受けは表示装置の荷重で変形しない硬質部の材料として金属（鉄、ステンレス、アルミ等）や摺動性が良く、変形の少ない樹脂（ポリアセタール、ナイロン等）を使用し、回転摺動面の一部に表示装置の荷重で形状が変化する軟質部の材料（ゴム、合成樹脂、スプリング、粘土状物質等）を設けることで回転を抑止できる。軸を中心に軟質部上を摺動回転させるため、スタンドを立てる方向は軟質部の摩擦抵抗を小さくするため緩やかな傾斜形状とし回転を容易にする。また、倒す方向は先尖りにすることで軟質部との摩擦を大きく、引っかかるため勢いよく回転せず、安全に回転可倒できることを特徴とした表示装置用可倒式スタンド。
【実施例１】
【０００７】
以下、本発明の詳細を添付図面に基づいて説明する。
図１は、表示装置用可倒式スタンドであり、操作者（図示せず）や設置者（図示せず）が容易に運びにくい３０インチ以上の大型の表示装置１を観覧者（図示せず）が、見やすい高い位置に保持するための支持部２があり、支持部２を支持し、移動のためのキャスター３を数カ所備えたベース４で構成され、支持部２とベース４には視聴者（図示せず）が簡単にネジ（図示せず）を外したり、分解したり、悪戯できないようにするためと、支持部２とベース４の凹凸を隠し、スタンド全体のイメージを良くするためのカバー５を設置している。ベース４上に画像を表示するための装置６であるゲーム機やパソコン、ビデオプレヤー、ＤＶＤプレヤー等が設置できるスペースがある。
【０００８】
図２は、表示装置用可倒式スタンドの部品構成を示す。
カバー５を取り外すと、ベース４と支持部２が現れ、ベース４は第１支持部７を固定接合する第１関節８が一体で成形されている。第１関節８には第１支持部７が雄ネジで螺合回転可能な状態で接合され、第１支持部７の他端には第２関節９が設けてあり、第２支持部１０が第１支持部７と同様に接合される。同様に第３支持部、第４支持部（図示せず）と接合され、第４支持部（図示せず）の第４関節（図示せず）の他端は表示装置１を固定できる形状としている。各関節は雄ネジ部を中心に回転することで支持部２を可倒できる。
【０００９】
図３、図４を参照して本発明の一例である回転、可倒する関節部の説明をする。
図３は第２関節部９であり、第１支持部７と第２支持部１０の雄ねじ１１を使用して接合する前の斜視図である。
第２関節部９は、鉄製軸外周１２の軸外周鉄部１３に、表示装置１の荷重が加わる部分に弾性体１４が軸外周鉄部１３と同円形状に一体成形され、軸外周鉄部１３は第１支持部７の第１壁１５にスポット溶接で固定され、軸外周鉄部１３の中心には軸１６が容易に挿入できる長穴形状の軸受け穴１７があり、軸受け穴１７と同形状で抜け防止用ワッシャー１８の挿入できるネジ受け１９を設ける。第２支持部１０には、軸外周鉄部１３が挿入できる凹形状の軸外周受け２０を設け、軸外周受け２０の中央には、前記した長穴形状の軸受け穴１７に挿入でき、回転可能な円柱の軸１６が第２壁２１に設置され、軸１６の中心には雌ネジ２２を設け雄ネジ１１と螺合する。第２支持部１０を第１支持部７に挿入し、第１壁１５側からワッシャー１８をネジ受け１９に挿入、雄ネジ１１を雌ネジ２２に螺合させることで第２関節が組立てられる。
第２支持部１０の他端には第１支持部７と同形状を成形することで第３の関節とすることができる。
【００１０】
図４、図５、図６により動作説明をする。
図４は、支持部を立てた使用状態を示す。使用状態において、表示装置１の荷重は白抜き矢印２３方向に加わる。軸１６は、軸受け穴１７内で矢印２３方向に移動できる長穴にすることで、ゴム２４には荷重が加わり、第２支持部の摺動面２５により押しつぶされて斜線部のように変形し、逃げ部２６と軸外周受け２０内で膨らみ内壁に圧接されることにより可倒しない。第２支持部１０はゴム２４の変形量分の距離、荷重方向に移動し、第１支持部７の受け部２７と、第２支持部１０止め部２８が接触することで安定し、支持部は立位状態になり抑止される。
【００１１】
軸外周受け２０は、ゴム２４と第２支持部の摺動面２５が、軸外周鉄部１３と同じ円弧で成形され、倒れ方向２９には進行を抑制するため先尖り部３０、起き方向３１には回転し易くするため、ゴム外周の円周上から接線方向へ延びた緩やかな傾斜部３２とした。
【００１２】
図５は第２支持部１０を倒す方法を説明する。第２支持部１０を第２関節９の軸１６を中心に回転させるには白抜き矢印３３方向に浮かし、弾性体２４に加わる荷重を解除する。弾性体２４は弾性で元の円形状に戻り、軸１６を中心に回転破線矢印方向に回転可能となる。弾性体１４を含めた鉄製軸外周部１２は、軸外周受け部２０の外周と同じ半円状で成形されているため、回転中も常に弾性体１４と軸外周受け部２０の内壁が接触し、摩擦による力が加わることにより回転がしにくい状態となり、スタンドが急激に倒れることがない。
【００１３】
図６は倒れ方向に回転が完了した状態示す。表示装置１の荷重は倒れ方向に移動し、第１支持部７の受け部に、第２支持部１０の止め部２８が当たることで完全に回転を止めることができる。
【００１４】
図７は、スタンドを立てるときの状態を示す。第２支持部１０を、第２関節の軸１６を中心に破線矢印の起こし方向に回転させる場合、軸外周受け２０の内壁が軸外周鉄部１３に接触しながら軸を１６中心に回転するため摩擦は小さく起こしやすい。
図８はスタンド部可倒状態を示す。左図は立位状態と倒す方向を破線矢印で示す。破線矢印方向に倒すことで、右図の様に可倒でき表示装置用スタンドの重心を低く、小さくできる。
【図面の簡単な説明】
【００１５】
【図１】液晶表示装置スタンドの使用状態図
【図２】液晶表示装置スタンドの構成図
【図３】スタンド関節部の斜視図
【図４】取付方法を示す第１断面図
【図５】可倒方法を示す第２断面図
【図６】可倒状態の断面図
【図７】起立方法を示す断面図
【図８】スタンド可倒状態図
【符号の説明】
【００１６】
１    表示装置
２    支持部
３    キャスター
４    ベース
５    カバー
６    装置
７    第１支持部
８    第１関節
９    第２関節
１０  第２支持部
１１  雄ネジ
１２  鉄製軸外周
１３  軸外周鉄部
１４  弾性体
１５  第１壁
１６  軸
１７  長穴形状の軸受穴
１８  ワッシャー
１９  ネジ受け
２０  軸外周受け
２１  第２壁
２２  雌ネジ
２３  白抜き矢印
２４  弾性体
２５  第２スタンドの摺動面
２６  逃げ部
２７  第１スタンドの受け部
２８  第２スタンドの受け部
２９  倒れ方向
３０  先尖り部
３１  起き方向
３２  緩やかな傾斜部
３３  矢印
【図１】
2008275931.tif 000003
【図２】
2008275931.tif 000004
【図３】
2008275931.tif 000005
【図４】
2008275931.tif 000006
【図５】
2008275931.tif 000007
【図６】
2008275931.tif 000008
【図７】
2008275931.tif 000009
【図８】
2008275931.tif 000010